(57)【特許請求の範囲】
【請求項１】
脚立の脚部に沿って固定される長尺状の固定フレームと、
固定フレームの面に沿って上端位置と下端位置との間を上下に往復移動可能に設けられ、前記固定フレームの面に接する第１面、ならびに、前記第１面の反対側に設けられ下方に向かうに従い前記脚立の前記脚部に近づくテーパ状の当接面を持つ楔部と、
前記楔部が上下に移動するのを案内する案内手段と、
前記楔部に下方に向って移動する力を付与する付勢手段と、
前記固定フレームに対し回動中心を中心に下方に向かう開方向および上方に向かう閉方向に回動可能な長尺状の回動脚と、
前記回動脚を前記回動中心を中心に前記固定フレームに対し回動可能に支持する軸部と、
前記軸部から径方向に突出し前記回動脚を前記開方向に回動させることで、前記固定フレームの前記下端位置の前記楔部の下端を押し上げて前記付勢手段に抗して前記楔部を上方に向って移動させ、かつ、前記楔部を押し上げた後に前記付勢手段により下方に移動する楔部の前記当接面に当接することで、前記回動脚が前記閉方向に回動するのを阻止して前記脚立の転倒を防止する当接部材と、
を備えた脚立の転倒防止具。
【請求項２】
請求項１において、前記楔部の上端に固定されたロッドと、
前記固定フレームから突出し、前記楔部を前記ロッドと共に上方の前記上端位置に持ち上げるための操作部とを更に備えた脚立の転倒防止具。
【請求項３】
請求項２において、前記楔部が前記上端位置において移動しないように、前記ロッドまたは操作部を保持する保持手段を更に備えた脚立の転倒防止具。
【請求項４】
請求項３において、前記固定フレームの横断面が概ね凹字状に形成され、前記凹字状の固定フレーム内に前記回動脚を折り畳むと、前記保持手段による保持を解除する解除手段を更に備えた脚立の転倒防止具。
【請求項５】
請求項１において、前記当接部材が前記楔部の前記当接面に当接して前記回動脚が前記閉方向に回動するのを阻止した使用状態において、前記回動脚の自重で前記回動脚が前記開方向に回動するのを防止する自重回動防止手段を更に備えた脚立の転倒防止具。
【発明の詳細な説明】
【技術分野】
【０００１】
本発明は脚立の転倒防止具に関するものである。
【背景技術】
【０００２】
脚立は、周知のように、左右の脚部の間に複数段の踏み子が設けられた一対の梯子が、へ字状に開かれた状態で固定されて使用される。
ここで、脚立に乗った作業者がバランスを崩すと前記左右方向（図８）に脚立が転倒するおそれがある。そのため、従来より、脚立に転倒を防止するための転倒防止具を取り付けたものが提案されている（特許文献１および２参照）。
【先行技術文献】
【特許文献】
【０００３】
【特許文献１】特開平９−４９３８３号（要約書）
【特許文献２】意匠登録１００３１８２号
【発明の概要】
【発明が解決しようとする課題】
【０００４】
前記特許文献１の転倒防止具は、梯子の踏み子が設けられた左右の脚部の外側に張り出す三角形の板状の補助脚を設けている。
しかし、転倒を十分に防止するには前記補助脚を大きく、かつ、厚く形成する必要があり脚立が重くなる。
【０００５】
一方、特許文献２の転倒防止具は、脚立の脚部に開閉自在に設けられた補助脚を備えている。前記補助脚は脚部に固定されたラックに係合して開かれる。
しかし、脚立の転倒を十分に防止できる開度に前記補助脚を開くには、長いラックを設ける必要があり軽量化が難しい。
さらに、脚部にワンウェイクラッチを設けて補助脚の開度を調節することが考えられる。しかし、ワンウェイクラッチを用いた場合には、バックラッシュが生じる場合があり、安定性が損なわれるおそれがある。
【０００６】
したがって、本発明の目的は、簡便かつ軽量な脚立の転倒防止具を提供することである。
【課題を解決するための手段】
【０００７】
前記目的を達成するために、本発明の脚立の転倒防止具は、脚立の脚部に沿って固定される長尺状の固定フレームと、固定フレームの面に沿って上端位置と下端位置との間を上下に往復移動可能に設けられ、前記固定フレームの面に接する第１面、ならびに、前記第１面の反対側に設けられ下方に向かうに従い前記脚立の前記脚部に近づくテーパ状の当接面を持つ楔部と、前記楔部が上下に移動するのを案内する案内手段と、前記楔部に下方に向って移動する力を付与する付勢手段と、前記固定フレームに対し回動中心を中心に下方に向かう開方向および上方に向かう閉方向に回動可能な長尺状の回動脚と、前記回動脚を前記回動中心を中心に前記固定フレームに対し回動可能に支持する軸部と、前記軸部から径方向に突出し前記回動脚を前記開方向に回動させることで、前記固定フレームの前記下端位置の前記楔部の下端を押し上げて前記付勢手段に抗して前記楔部を上方に向って移動させ、かつ、前記楔部を押し上げた後に前記付勢手段により下方に移動する楔部の前記当接面に当接することで、前記回動脚が前記閉方向に回動するのを阻止して前記脚立の転倒を防止する当接部材と、を備えている。
【発明の効果】
【０００８】
本発明によれば、楔部のテーパ状の当接面に当接部材が当接した状態で、固定フレームに対し回動脚が上方に向かって、つまり、回動脚が閉じる閉方向に向かって回動しないから、当接面と当接部材との間にバックラッシュが発生しない。
また、長いラックを形成する必要がないので、転倒防止具の軽量化が可能となる。
さらに、市販のワンウェイクラッチを用いるのと異なり、製造コストも安くなる。
また、市販の脚立に本転倒防止具を後付けすることができるので、現場への出入り業者に本転倒防止具の取り付けを義務づけるなどして安全性の向上を容易に図り得る。
【図面の簡単な説明】
【０００９】
【図１】本発明の一実施例にかかる脚立の転倒防止具の使用方法を示す概略断面図である。
【図２】同転倒防止具の使用方法を示す概略断面図である。
【図３】同転倒防止具の使用方法を示す概略断面図である。
【図４】同転倒防止具の使用方法を示す概略断面図である。
【図５】図５Ａは転倒防止具の概略平面断面図、図５Ｂは図５Ａの VB-VB線断面図、図５Ｃは図５Ａの VC-VC線断面図である。
【図６】回動脚の開状態を示す概略側面図である。
【図７】回動脚の収納状態を示す概略側面図である。
【図８】収納状態の転倒防止具が取り付けられた脚立を示す概略側面図である。
【図９】回動脚を開いて転倒防止具を使用した状態の脚立を示す概略側面図である。
【発明を実施するための最良の形態】
【００１０】
本発明における好ましい態様において、前記楔部の上端に固定されたロッドと、前記固定フレームから突出し、前記楔部を前記ロッドと共に上方の前記上端位置に持ち上げるための操作部とを更に備えている。
かかる態様によれば、固定フレームから突出した操作部を操作して前記楔部を上端位置まで容易に持ち上げることができる。この状態で前記回動脚を閉方向に回動させて収納することができる。
【００１１】
本発明の好ましい態様において、前記楔部が前記上端位置において移動しないように、前記ロッドまたは操作部を保持する保持手段を更に備えている。
かかる態様によれば、前記楔部を上端位置において移動しない状態を保持できる。そのため、回動脚の閉方向への移動が容易になる。
【００１２】
本発明の好ましい態様において、前記固定フレームの横断面が概ね凹字状に形成され、前記凹字状の固定フレーム内に前記回動脚を折り畳むと、前記保持手段による保持を解除する解除手段を更に備えている。
かかる態様によれば、回動脚を折り畳むと前記保持が解除されるので、前記回動脚を開方向へ回動させる間に前記押し上げ動作が確実に行われ、押し上げ後に前記当接部材が当接面に当接する。したがって、使用状態において回動脚が開いた状態であるにもかかわらず、当接部材が当接面に当接していないという事態を未然に防止することができる。
【００１３】
本発明の好ましい態様において、前記当接部材が前記楔部の前記当接面に当接して前記回動脚が前記閉方向に回動するのを阻止した使用状態において、前記回動脚の自重で前記回動脚が前記開方向に回動するのを防止する自重回動防止手段を更に備えている。
ここで、使用状態において、回動脚が開方向に自重で開くと、脚立の下端が接地しない状態で回動脚の下端が接地し、本転倒防止具に作業者の体重等が負荷される事態となる。これに対し本態様では、自重回動防止手段を設けたので、使用状態において回動脚が開方向に自重で開かないため、前述のような事態を防止し得る。
【実施例】
【００１４】
脚立Ａ：
図８に示す脚立Ａは４脚の脚部ＡＬを備えており、一対の脚部ＡＬ間には複数段の踏み子Ａ１が架け渡されている。使用時には、前記踏み子Ａ１が掛け渡された一対の脚部ＡＬ同士が互いに所定の角度開かれる。
【００１５】
転倒防止具Ｂ：
前記一対の脚部ＡＬにおいて、踏み子Ａ１の左右方向Ｘの外側面には、転倒防止具Ｂが図示しないボルト・ナットやブラケットにより取り付けられている。
図７に示すように、前記転倒防止具Ｂは、脚立Ａの脚部ＡＬに沿って固定される長尺状の固定フレーム１と、前記回動中心Ｏを中心に下方に向かう開方向Ｒｏおよび、図６に示す上方に向かう閉方向Ｒｓに回動可能な長尺状の回動脚５とを備えている。
なお、図９に示す前記転倒防止具Ｂは、片側の一対の脚部ＡＬにそれぞれ取り付けられてもよいし、４脚の脚部ＡＬ全てに取り付けられてもよい。
【００１６】
脚立Ａの使用時には、図８の矢印で示すように、前記回動脚５は、開方向Ｒｏに開かれ、図９に示すようにその端部が地面などの接地面に接地された状態で固定された状態で使用される。一方、回動脚５の収納時には、回動脚５は閉方向Ｒｓに回動され、図８に示すように収納される。
【００１７】
固定フレーム１：
図５Ｂおよび図５Ｃに示すように、前記固定フレーム１は、脚部ＡＬに固定される固定面１ａを有する断面コ字状に形成されている。
図１Ａに示すように、前記固定フレーム１内には、板状の摺動ガイド１ｃが固定されている。
【００１８】
楔部２：
固定フレーム１内には、スライダからなる楔部２が設けられている。楔部２は、前記摺動ガイド１ｃの表面１ｆに接する第１面２０ｆと、前記当接面２０の反対側に設けられた当接面２０とを備えている。楔部２は、該楔部２の第１面２０ｆが、前記摺動ガイド１ｃの表面１ｆに沿って上下方向Ｚに摺動自在に設けられている。
前記楔部２は、図１Ａに示す下端位置Ｐｄと、図４Ａに示す上端位置Ｐｕとの間を上下方向Ｚに往復自在に設けられている。
【００１９】
前記当接面２０は下方Ｚ１に向かうに従い脚立Ａの脚部ＡＬに近づくテーパ状に形成されている。
【００２０】
ロッド３０：
前記楔部２の上端にはロッド３０が固定されている。前記固定フレーム１には、ロッド３０を上下方向Ｚに摺動自在に保持する案内手段３が上下に２箇所設けられている。前記案内手段３はロッド３０の周囲に形成されており、ロッド３０の上下方向Ｚの移動を案内する。
【００２１】
前記ロッド３０には操作部３１が設けられている。図６に示すように、前記操作部３１は、固定フレーム１から突出して設けられている。図４Ａに示すように、ロッド３０を上方Ｚ２に持ち上げることで、図３Ｂの下端位置Ｐｄの当接面２０が上端位置Ｐｕまで上昇される。
【００２２】
図１Ａに示す前記操作部３１と上部の案内手段３との間には、案内手段３を介して当接面２０を下方Ｚ１に向って移動する力を付与する第１スプリング（付勢手段の一例）４が設けられている。前記第１スプリング４は、ロッド３０に巻回されている。
【００２３】
回動脚５：
固定フレーム１には前記回動中心Ｏを有する固定軸１ｂが固定されている。前記回動脚５には、前記回動中心Ｏを中心に固定フレーム１に対し前記回動脚５を回動可能に支持する軸部５０が一体に固着されて設けられている。軸部５０は固定軸１ｂに回動自在に支持されている。
図１Ａ〜図４Ｂに示すように、回動脚５は固定フレーム１に対し回動中心Ｏを中心に下方Ｚ１に向かう開方向Ｒｏ、および上方Ｚ２に向かう閉方向Ｒｓに回動可能な長尺状に形成されている。
【００２４】
当接部材５１：
図１Ａに示す前記回動脚５の固定軸１ｂ側の先端部分には、当接部材５１が突出して軸部５０に一体に形成されている。前記当接部材５１は、軸部５０から（軸部５０の）径方向に突出していると共に、回動脚５に対して所定の角度に固定されている。
【００２５】
長尺状の回動脚５と当接部材５１とがなす角度は、回動脚５が開かれることにより、図１Ｂおよび図２Ａに示すように、楔部２を上昇させることが可能な角度に設定されている。一方、軸部５０は、図２Ｂ〜図３Ｂに示すように、下降する楔部２の当接面２０上を移動することが可能な長さに設定されている。
【００２６】
ここで、図２Ｂ〜図３Ｂに示すように、当接部材５１が当接面２０上を移動中の場合には、第１スプリング４の伸張により、当接面２０が下降し当接部材５１が当接面２０に接する。そのため、回動脚５は、開方向Ｒｏには回動するが、閉方向Ｒｓに回動させようとすると、当接部材５１の先端が当接面２０に食い込むように接触し、閉方向Ｒｓ方向への回動脚５の回動が規制される。
したがって、当接面２０に当接部材５１が当接することで、回動脚５を任意の角度で無段階に閉方向Ｒｓに固定することができる。
【００２７】
保持手段６：
図１Ａに示すように、ロッド３０の上端部には括れ部６１が形成されている。一方、固定フレーム１には、図５Ａおよび図５Ｂに示すように、前記括れ部６１の両側面を挟み保持する保持部材６０が一対設けられている。
ロッド３０が前記操作部３１によって図５Ａに示す上端位置Ｐｕまで押し上げられると、前記両保持部材６０によりロッド３０の上部の括れ部６１の両側面が、保持部材６０によって挟まれ、ロッド３０が上端位置で保持される。
したがって、保持部材６０および括れ部６１は楔部２を上端位置Ｐｕで保持する保持手段６を構成している。
【００２８】
解除手段７：
図５Ｂに示すように、固定フレーム１の横断面は、概ね凹字状に形成されている。
前記保持部材６０には、一対の両保持部材６０を押し広げるための解除手段７がそれぞれ一体に形成されている。解除手段７は保持部材６０と括れ部６１との係合を解くためのものである。
図１Ａに示すように、回動脚５を回動させて、前記凹字状の回動脚５内に折り畳むと、両解除板７（図５Ｂ）が図１Ａの回動脚５の側面によって押し広げられる。保持部材６０は解除板７と一体に形成されているので、両保持部材６０の間隔が広げられ、保持部材６０と括れ部６１との係合が解け、付勢手段４によってロッド３０が下端位置まで下降する。
【００２９】
自重回動防止手段：
図２Ｂおよび図３Ａに示すように、前記固定軸１ｂには第２スプリング８が設けられている。図５Ｃに示すように、前記第２スプリング８は固定フレーム１および当接部材５１に係合している。そのため、図２Ｂおよび図３Ａに示すように回動脚５を任意の角度で固定した後、該脚立Ａを持ち上げても第２スプリング８に付勢されたバネ力により固定フレーム１に対する回動脚５の角度が固定される。そのため、脚立Ａを移動させても回動脚５の自重により固定フレーム１と回動脚５との角度が変わるおそれがない。
したがって、第２スプリング８は自重回動防止手段を構成している。
【００３０】
なお、図１Ｂに示すように、解除手段７には、回動脚５の凹部５ａ（図６）に係合する凸部７ａが形成されており、図１Ａに示す前記収納状態において、回動脚５が不用意に開かないように設定されている。
また、図６に示すように、回動脚５の先端には、地面などの接地面に接地した場合に、回動脚５の先端が滑るのを防止するための滑り止め５ｂが設けられている。前記滑り止め５ｂは、たとえば、ゴムなどで形成されている。
【００３１】
転倒防止具の使用方法：
図８に示すように、回動脚５は収納状態に位置している。
まず、脚立Ａの脚部ＡＬを開いて脚立Ａを立たせる。その後、図７に示す回動脚５の固定フレーム１から突出した部分（レバー部）５ｃを持ち、回動脚５を開方向Ｒｏに開く。
【００３２】
ここで、図１Ａに示すように、ロッド３０および楔部２は収納状態において下方Ｚ１に下降した下端位置Ｐｄに位置している。前記収納状態から、前記回動脚５を開方向Ｒｏに回動させると、当接部材５１が点Ｏの回りに回動脚５と共に回動し、やがて、図１Ｂに示すように、当接部材５１の先端部分が楔部２の下端２１に当接する。
さらに、回動脚５を開方向Ｒｏに回動させると、図２Ａに示すように、当接部材５１の先端部分が楔部２の下端２１を押し上げる。楔部２が押し上げられることにより、ロッド３０が上方Ｚ２に移動されて第１スプリング４が縮む。
【００３３】
回動脚５が所定の角度以上に開かれ、図２Ｂの当接第１限界を過ぎると、当接部材５１の先端部分が楔部２の当接面２０に乗り上げて、接触し始める。
【００３４】
さらに、図３Ａから図３Ｂに示すように、回動脚５が当接限界まで開く間において回動脚５が回動して地面などの接地面に接地すると、以下に説明するように、回動脚５が当該角度に固定される。
ここで、図３Ａの回動脚５が前記当接第１限界よりも大きく開かれることで、第１スプリング４が伸張し始め、当接面２０が第１スプリング４により下方Ｚ１に付勢される。そのため、回動脚５が閉方向Ｒｓに回動しようとしても、当接部材５１の先端と面１ｆとの間に楔部２が食い込むように入り込んでおり、回動脚５は閉方向Ｒｓ方向には回動しない。
【００３５】
すなわち、スプリング４により下方Ｚ１に移動しようと楔部２の当接面２０に当接部材５１が当接することで、回動脚５が閉方向Ｒｓに回動するのが阻止される。
したがって、図９に示すように、回動脚５によって左右方向Ｘに脚立Ａが支持されることにより、脚立Ａの左右方向Ｘへの転倒を防止することができる。
かかる使用状態において、作業者は脚立Ａに登って作業を行う。
【００３６】
ここで、図３Ａの回動脚５が第２スプリング８によって閉方向Ｒｓに付勢されているので、前記使用状態において回動脚５が自重で開方向Ｒｏに回動するおそれがない。
すなわち、前述した自重回動防止手段により、当接部材５１が楔部２の当接面２０に当接して回動脚５が閉方向Ｒｓに回動するのを阻止した使用状態において、回動脚５の自重で回動脚５が開方向Ｒｏに回動するのが防止される。
なお、回動脚５と、該回動脚５が接地する接地面とがなす角度は、一般に、概ね４５°程度に設定するのが好ましい。
また、前記回動脚５は、図３Ｂに示す当接第２限界まで開くことが可能である。
【００３７】
回動脚５を閉方向Ｒｓに回動させて折り畳むには、まず、図４Ａに示すように、作業者が操作部３１（図６）を上方Ｚ２に引き上げる。操作部３１が上方Ｚ２に引き上げられることにより、保持部材６０にロッド３０の括れ部６１が係合する。そのため、当接面２０が上端位置Ｐｕに保持され（において停止し）、回動脚５が閉方向Ｒｓに回動可能になる。
【００３８】
図４Ｂに示すように、回動脚５を閉方向Ｒｓに回動させて、回動脚５を図１Ａに示す収納状態まで回動させると、該回動脚５の両側面が図５Ｂに示す一対の解除手段７を押し広げる。一対の解除手段７が互いに外側に移動されることにより、一対の保持部材６０が互いに遠ざかる方向に移動され、図５Ａに示す括れ部６１が保持部材６０から離脱し、括れ部６１の係合が解除される。
括れ部６１の係合が解除されると、スプリング４のバネ力により楔部２が上端位置Ｐｕから、図１Ａに示す下端位置Ｐｄまで下降する。
一方、回動脚５は、図６に示す凹部５ａが、図１Ａに示す凸部７ａに係合し、収納状態に固定される。
【産業上の利用可能性】
【００３９】
本発明の脚立の転倒防止具は、脚立の転倒防止に用いることができる。
【符号の説明】
【００４０】
１：固定フレーム
１ｆ：面
２：楔部
３：案内手段
４：付勢手段
５：回動脚
６：保持手段
７：解除手段
２０：当接面
２１：下端
３０：ロッド
３１：操作部
５０：軸部
５１：当接部材
Ａ：脚立Ａ
ＡＬ：脚部
Ｏ：回動中心
Ｐｕ：上端位置
Ｐｄ：下端位置
Ｒｏ：開方向
Ｒｓ：閉方向
【図１】
0005433915.tif 000002
【図２】
0005433915.tif 000003
【図３】
0005433915.tif 000004
【図４】
0005433915.tif 000005
【図５】
0005433915.tif 000006
【図６】
0005433915.tif 000007
【図７】
0005433915.tif 000008
【図８】
0005433915.tif 000009
【図９】
0005433915.tif 000010